(57)【要約】      （修正有）【課題】比較的に簡素化された構造によって製造し易く、しかも洗浄し難い部分を減らして、衛生上の問題発生も抑制できる優れた構造の食事補助具を提供する。【解決手段】食事補助具１０は、食器類外縁を挟持する挟持部１４を樹脂製の平板部材１２の一端側に形成し、該平板部材１２の他端側に匙などの頭部が当接する当接片１６を形成し、該当接片１６から挟持部１４までを一体に形成したことを特徴とする。【選択図】図４
0003221844.tif 000002
【実用新案登録請求の範囲】
【請求項１】
食器類外縁を挟持する挟持部を樹脂製の平板部材の一端側に形成し、該平板部材の他端側に匙などの頭部が当接する当接片を形成し、該当接片から挟持部までを一体に形成したことを特徴とする食事補助具。
【請求項２】
請求項１記載の前記食事補助具において、前記当接片は前記平板部材の端部から立ち下がる形状を有することを特徴とする食事補助具。
【請求項３】
請求項２記載の前記食事補助具において、前記当接片はその中央部分が端部を結んだ線よりも窪んでいることを特徴とする食事補助具。
【請求項４】
請求項１記載の前記食事補助具において、前記挟持部は前記平板部材を折り曲げた形状を有することを特徴とする食事補助具。
【請求項５】
請求項１記載の前記食事補助具において、前記当接片は前記平板部材の端部から立ち上がる形状を有することを特徴とする食事補助具。
【考案の詳細な説明】
【技術分野】
【０００１】
本考案は、人が食事をする際に使用する匙などの器具の働きを補助する食事補助具に関し、特に食事用の器具を保持する力が弱い傾向の老人や要介護者、病人、幼児等が食事をする際に、食事用の器具による掬う動作を補助する食事補助具に関する。
【背景技術】
【０００２】
前述の器具を匙などの保持する力が弱い老人などが、皿などの食器を用いて食事をする際には、食べ物や汁などの皿に盛られたものを上手くは掬えないことがあり、皿から匙が大きくはみ出して食べ物や汁を溢してしまったり、匙で保持する食べ物や汁などの量が少なくなって食事の時間がかかったりするという問題が生じる。
【０００３】
このような匙などの保持する力が弱い老人が直面する問題に対して、食器の縁に匙の動きを止めるストッパーを把持させる機構の食事補助具もいくつか知られている（例えば、特許文献１、２参照。）。このような食器の縁に匙の動きを止めるストッパーを取り付けることで、力が弱い老人などであっても食べ物を口に運ぶ作業の効率を高めることができる。
【先行技術文献】
【特許文献】
【０００４】
【特許文献１】特開２００１−２５２１６８号公報
【０００５】
【特許文献２】特開２００９−２０１９５９号公報
【考案の概要】
【考案が解決しようとする課題】
【０００６】
ところが、上述の特許文献１の技術では、金属製のクリップの如き構造を有するため、金属の曲げ加工が必要とされたり、挟持するための部材などが必要であり、部品点数も増加するために、コスト増を招く。また、特許文献２の技術では、どのような素材で補助具を構成するかについてはその記載がないものの、皿などの縁を把持する機構部と突起が形成された構造を有しおり、突起が本体部分に対してオーバーハング形状で設けられていることから、使用後に洗浄する際に、その突起部分が洗浄し難い部分となってしまう。このため衛生上の問題も発生する。
【０００７】
本考案は、このような技術的な課題に鑑み考えられたものであり、比較的に簡素化された構造によって製造し易く、しかも洗浄し難い部分を減らして、衛生上の問題発生も抑制できる優れた構造の食事補助具を提供する。
【課題を解決するための手段】
【０００８】
上述の技術的な課題を解決するために、本考案の食事補助具は、食器類外縁を挟持する挟持部を樹脂製の平板部材の一端側に形成し、該平板部材の他端側に匙などの頭部が当接する当接片を形成し、該当接片から挟持部までを一体に形成したことを特徴とする。
【０００９】
この構成において、匙などの頭部が当接する前記当接片は、前記平板部材の端部から立ち下がる曲面状の曲板部を有することもでき、さらにその曲板部はその中央部分が端部を結んだ線よりも窪んでいるように構成できる。
【００１０】
また、本考案の食事補助具は、前記挟持部は前記平板部材を折り曲げた形状を有するように構成することもできる。
【図面の簡単な説明】
【００１１】
【図１】本考案の第１の実施形態による食事補助具の斜視図である。
【図２】本考案の第１の実施形態による食事補助具の断面図である。
【図３】本考案の第１の実施形態による食事補助具を皿に係合させた状態の斜視図である。
【図４】本考案の第１の実施形態による食事補助具を皿に係合させた状態で匙を使用した場合の斜視図である。
【図５】本考案の第２の実施形態による食事補助具の斜視図である。
【図６】本考案の第３の実施形態による食事補助具の斜視図である。
【図７】本考案の第４の実施形態による食事補助具の斜視図である。
【図８】本考案の第５の実施形態による食事補助具の斜視図である。
【図９】本考案の第６の実施形態による食事補助具の斜視図である。
【図１０】本考案の第７の実施形態による食事補助具の斜視図である。
【考案を実施するための形態】
【００１２】
以下、本考案の食事補助具について図１乃至図１０を参照しながら説明する。図１乃至図４は、本考案の第１の実施形態の食事補助具を示す。本実施形態の食事補助具１０は、上向きに僅かに反った合成樹脂製の平板部材１２の一端側には、食器類外縁を挟持する挟持部１４が設けられ、平板部材１２の他端側には匙などの頭部を当接させるための当接片１６が設けられている。平板部材１２は、所定の幅を以って延長される部材であり、該平板部材１２の中央部近辺には当接片１６の上端部に該平板部材１２を接続させるように屈曲した屈曲部１１が形成され、この屈曲部１１で平板部材１２の他端側は食器類外縁の表面から持ち上げられる構造とされる。さらに平板部材１２の他端側は屈曲部１１から先の部分では幅方向に台形形状に広がる形状とされ、その広がった部分から下向きに折れて、平板部材１２の端部から立ち下がるように当接片１６が設けられている。
【００１３】
この平板部材１２は、挟持部１４に連続するように設けられた樹脂片であり、平板部材１２の一端部で戻るように折り曲げられて平板状の挟持部１４を形成する。挟持部１４も同じ合成樹脂製であり、折り曲げられた挟持部１４の端部１５と、平板部材１２の底面１３の間に設けられ空隙に皿などの食器類外縁を挿入することで食器類に対して当該食事補助具１０が保持される。平板部材１２の底面１３の間に設けられ空隙に食器類外縁を挿入する際には、樹脂材である挟持部１４が平板部材１２の底面１３に対して開くように変形し、食器類外縁が挿入された後は挟持部１４の弾性変形によって食器類外縁を平板部材１２の底面１３と共に挟持して当該食事補助具１０を保持する。
【００１４】
このような挟持部１４が形成された平板部材１２の反対側の端部には、匙などの頭部を当接させるための当接片１６が平板部材１２の端部を下向きに延長する形状で形成されている。平板部材１２の端部は、食器類の外縁に沿うようにその中央部分が端部を結んだ線よりも窪んでいる形状とされ、例えば匙などの頭部が接近した場合には、その頭部と当接片１６の間の空隙が小さくなるように構成されている。また、当接片１６自体は、平板部材１２の他端部から立ち下がる形状を有しているが、当接片１６は高さ方向に緩やかな放物曲線を描く面を有し、当接片１６の底部は配置される食器類の面を捉えるように曲線を描いて食器類の面に密接するように構成される。
【００１５】
このような構造の本実施形態の食事補助具１０は合成樹脂製であり、射出成型などの方法で量産可能であり、その構造上、蝶番や発条部材の取り付けもなく、洗浄も容易なことから、食器類と共に洗浄した後、再利用することができる。また、安価な樹脂を使用することで、使い捨てにすることもでき、体力の低下した高齢者でも安心して利用でき、かつ衛生面にも優れることになる。
【００１６】
図３と図４は、本実施形態の食事補助具１０を皿に取り付けたところと、匙を用いて皿の上の食物を当接片１６を利用しながら匙の頭部に導くところを示す図である。図３では、本実施形態の食事補助具１０が皿２０の外縁部２２に取り付けられたところを示しており、食事補助具１０の挟持部１４が平板部材１２に対して開くように操作され、挟持部１４と平板部材１２の間に皿２０の外縁部２２を挟むことで、その皿２０の外縁部２２に食事補助具１０が保持される。
【００１７】
図４では、皿２０の上に例えばカレーのようなやや流動的な食物２４が置かれ、その皿２０の食物２４を本実施形態の食事補助具１０を利用しながら匙２６で掬うところを示す。仮に、本実施形態の食事補助具１０が存在しない場合は、匙２６を皿２０の面に沿って移動させながら、匙２６の頭部２８内に食物２４が移動した時に素早く匙２６を操作して、効率よく頭部２８に食物２４を収納することが行われるが、要介護者や高齢者、幼年者などの匙の操作も容易ならない者にとっては、匙２６を皿２０の面に沿って移動させた際に、一緒に食物２８を皿２０外部に押し出してしまう傾向がある。この場合に、本実施形態の食事補助具１０を皿２０の外縁部２２に取り付ければ、匙２６の頭部２８が食事補助具１０の当接片１６に当接した時には、効率良く食物２４が匙２６の頭部２８に移動することになり、要介護者や高齢者、幼年者などであっても、食事を円滑に進めることができるようになる。
【００１８】
次に、図５乃至図１０を参照しながら、第２乃至第７の実施形態の食事補助具について説明する。
【００１９】
図５に示す第２の実施形態の食事補助具５０は、平板部材５２の幅が広くなった構成を有しており、他の構成は第１の実施形態の食事補助具１０と同様である。食事補助具５０を食器類に保持させるための挟持部５４は、平板部材５２の全幅に亘る幅を有していても良く、左右一対形成してより曲げやすく構成したものであっても良い。平板部材５２の他端部には、立ち下がって当接片５６が設けられ、当接片５６が、食器類の外縁に沿うようにその中央部分が端部を結んだ線よりも窪んでいる形状とされる点や、高さ方向に緩やかな放物曲線を描く面を有している点は、先に説明した当接片１６と同様である。
【００２０】
図６に示す第３の実施形態の食事補助具６０は、平板部材６２の一端側では幅方向に広げられた挟持部６３が設けられ、挟持部６３の幅方向の端部より一対の挟持部６４、６５が設けられている。また、平板部材６２の他端側は下部側に立ち下がって当接片６６が形成されている。食器類外縁への取り付けは、端部に広がった一対の挟持部６４、６５と、平板部材６２の底部若しくは当接片６６の間で食器類外縁を挟持することで行われる。当接片６６の平板部材６２への接続部分は概ね直線状とされるが、先に説明した実施形態のように中央部分が端部を結んだ線よりも窪んでいる形状とすることもでき、当接片６６の面は高さ方向に緩やかな放物曲線を描くものとすることもできる。
【００２１】
図７に示す第４の実施形態の食事補助具７０は、図６に示した第３の実施形態の食事補助具６０と同様な２つに分かれた形状の挟持部７４、７５を有しており、平板部材７２の他端側は幅方向に広がっており。第１の実施形態の食事補助具１０と同様な形状の当接片７６を有している。
【００２２】
図８に示す第５の実施形態の食事補助具８０は、平板部材８２の上面８３の形状が兎を模した形状とされ、兎の長い耳の部分の下部に折れ曲がるように挟持部８４が形成されている。平板部材８２の他端部には、立ち下がって当接片８６が設けられ、当接片８６が、食器類の外縁に沿うようにその中央部分が端部を結んだ線よりも窪んでいる形状とされる点や、高さ方向に緩やかな放物曲線を描く面を有している点は、先に説明した当接片１６と同様である。
【００２３】
図９に示す第６の実施形態の食事補助具９０は、平板部材９２を一端側で折り曲げて挟持部９４を形成し、他端側は平板部材９２の端部から立ち上がる形状の当接部９６を形成した構造を有する。当接部９６が平板部材９２の端部から立ち上がる形状であっても、匙の頭部が食事補助具９０の当接片９６に当接した時には、効率良く食物が匙の頭部に移動することになり、要介護者や高齢者、幼年者などであっても、食事を円滑に進めることができるようになる。
【００２４】
図１０に示す第７の実施形態の食事補助具１００は、第６の実施形態の変形例であり、挟持部側の構造が一対の挟持部１０４、１０５とされる。一対の挟持部１０４、１０５とすることで、弱い力でも挟持部と平板部材の底部の間に空隙を広げることができ、食器類外縁への取り付けは容易となり、匙の当接時にも位置ずれなどを防ぐことができる。なお、他端側は平板部材１０２の端部から立ち上がる形状の当接部１０６を形成した構造を有する。
【００２５】
なお、上述の実施形態では、全ての部材を単一の合成樹脂で構成する例について説明したが、金属や木材などの材料やこれらと樹脂との合成材料を用いることもでき、樹脂も２種類以上のものを組み合わせて一体化しても良い。
【符号の説明】
【００２６】
１０、５０、６０、７０、８０、９０、１００  食事補助具
１２、５２、６２、７２、８２、９２、１０２  平板部材
１４、５４、６３、６４、６５、７４、８４、９４、１０４  挟持部
１６、５６、６６、７６、８６、９６、１０６  当接片
【図１】
0003221844.tif 000003
【図２】
0003221844.tif 000004
【図３】
0003221844.tif 000005
【図４】
0003221844.tif 000006
【図５】
0003221844.tif 000007
【図６】
0003221844.tif 000008
【図７】
0003221844.tif 000009
【図８】
0003221844.tif 000010
【図９】
0003221844.tif 000011
【図１０】
0003221844.tif 000012